(57)【特許請求の範囲】
【請求項１】
内リンクプレートと外リンクプレートと前記内リンクプレートと外リンクプレートとを長手方向に交互に連結する連結ピンとで構成され、上下方向へ移動可能な移動部材に動力を伝達する吊下げ用チェーンであって、
前記内リンクプレートが前記連結ピンに回動自在に遊嵌され、
前記内リンクプレートの間に配設されたローラが前記連結ピンの外周に回動自在に遊嵌され、
前記外リンクプレートと内リンクプレートとが、同一形状に形成され、前記外リンクプレートにおける前記連結ピンを圧入する孔の大きさが、前記内リンクプレートにおける前記連結ピンを遊嵌する孔の大きさと同じであり、
前記内リンクプレートの両側端部の形状が円弧状に形成され、該端部の前記連結ピンが挿通する孔の内径をＤとし、該端部の外周の半径と内周の半径との差をｈとし、一方の端部と他方の端部との間の両端を結ぶ方向に対する幅をＨとした場合、
２ｈ≧Ｄ、および、２ｈ≧Ｈ
の関係が成立していることを特徴とする吊下げ用チェーン。
【請求項２】
前記内リンクプレートの両側端部の形状が円弧状に形成され、一方の端部と他方の端部との間の形がくびれ形状を呈し、端部の外周の半径をｒとし、くびれ形状の弧の半径をＲとした場合、
ｒ＝Ｒ
の関係が成立していることを特徴とする請求項１に記載の吊下げ用チェーン。
【発明の詳細な説明】
【技術分野】
【０００１】
本発明は、例えば、車両の立体駐車場において車両が載置される昇降台を垂直方向に沿って移動させる吊下げ用チェーンやフォークリフトのフォーク形昇降部を垂直方向に沿って移動させる吊下げ用チェーンに関するものである。
【背景技術】
【０００２】
従来より、チェーンは、２又はそれ以上の回転軸間に巻回されて動力を伝達するために使用されるのみならず、物品を移動するためにも使用されている。
例えば、立体駐車場における、自動車、原動機付き自動二輪車、自転車などの車両を搭載する昇降台をアタッチメントを介して吊下げ、この昇降台を、垂直方向に沿って移動させるために使用される、吊下げ用チェーンがある。
【０００３】
このような昇降台を駆動する吊下げ用チェーンは、立体駐車場の垂直方向に沿って架設されたレールに沿って吊下げ用チェーンが張設され、当該吊下げ用チェーンの適宜の位置に設置されたアタッチメントに昇降台が吊下されるとともに、当該アタッチメントに設けられた転動ローラが架設されたレールを走行するように設置され、当該吊下げ用チェーンと係合してこれを順方向あるいは逆方向に駆動するスプロケット付きモータなどにより駆動して、昇降台を立体駐車場の入出庫位置に移動させるようにしたものである（例えば、特許文献１参照）。
【０００４】
このような、立体駐車場などに使用される吊下げ用チェーンの場合、従前知られた動力伝達用チェーンとは異なり、チェーンの走行スピードは相当に低速度であるが、チェーンには、チェーンに吊下された昇降台及び、当該昇降台に搭載された車両の全ての荷重が作用することになるので、大きな引張強度が要求されるとともに立体駐車場が大型になるほどチェーンが長くなる。
【０００５】
そして、従来は、図９及び図１０に示されるような、両側に対峙して配置された１対の内リンクプレート５２０の長手方向前後に１対のブシュ５５０が圧入されてなる内リンクと、当該ブシュ５５０のそれぞれに貫通される連結ピン５３０を、両側に対峙して配置された１対の外リンクプレート５２０の長手方向の前後にそれぞれ圧入されてなる外リンクとを、チェーン長手方向に交互に連結され、それぞれのブシュ５５０にはローラ５４０が回動自在に外嵌されて構成されるような汎用のチェーン５００を、吊下げ用として使用するのが一般的であった。
【先行技術文献】
【特許文献】
【０００６】
【特許文献１】実公平３−３１７９４号公報（全文、全図）
【特許文献２】特開平５−２８７９２９号公報（図１乃至図１０、図１３乃至図１８）
【発明の概要】
【発明が解決しようとする課題】
【０００７】
従前は汎用チェーンを昇降台の駆動に使用しているため、前述したような昇降台駆動の場合の使用状況を考慮すると、以下のような無駄あるいは問題点が生じていた。
すなわち、立体駐車場の昇降台駆動の場合、伝導チェーンの場合と異なり、引張荷重が非常に大きくなるため、チェーンの引張強度を高める必要があるが、昇降台の駆動は、高速で駆動するものでもなく、チェーンのブシュと連結ピンとの間で生ずる相互回転も、伝動チェーンの場合と比べると非常に少ないので、所謂疲労強度については特に考慮する必要はない。
しかし、汎用チェーンの場合引張強度と疲労強度とを併せ持つようなチェーンとして設計されているため、上述したような立体駐車場用の昇降台駆動に求められる強度要件とは完全に適合するものではなかった。
したがって、汎用チェーンを使用する場合には、厳しい要件である引張強度に適合した高性能のものを採用することとなり、不必要に疲労強度の高い、いわば設計上無駄の多いチェーンを使用することとなり、結果的に高コストとなってしまうという問題があった。
【０００８】
また、立体駐車場では、垂直方向及び水平方向にチェーンを張り巡らすため循環軌道が長経路となり、個々のチェーンリンクの製造誤差、組立誤差が蓄積されてチェーン全体としては無視できないものとなってくるし、また、長経路となるとこれに吊下される昇降台、車両などの重量が大となり、長いチェーンに大荷重が印加されてチェーンに生ずる変形も相当大きくなってくるため、これらの結果生じた歪みにより、チェーンに横曲がりやねじれが生じて、チェーンを円滑に走行させ難くなるという問題があった。
さらに、上述したように、内リンクと外リンクとの間での相互回転の生ずる頻度が低いため、これに対処するブシュ等の部品の必要度は低いにも係わらず、汎用チェーンであるため、このような部品を具備したままであり、これがコストを低減できない一因となっているという問題もあった。
【０００９】
本発明は、前述したような従来技術の問題点を解決するものであって、本発明の技術的課題、すなわち、本発明の目的は、従来のブシュを備えた吊下げ用チェーンに比較してブシュを備えることなく内リンクプレートの面積を広くして内リンクプレートの引張強度を向上させた簡易な構造で、低コストの吊下げ用チェーンを提供することにある。
【課題を解決するための手段】
【００１０】
請求項１に係る発明は、内リンクプレートと外リンクプレートと前記内リンクプレートと外リンクプレートとを長手方向に交互に連結する連結ピンとで構成され、上下方向へ移動可能な移動部材に動力を伝達する吊下げ用チェーンであって、前記内リンクプレートが前記連結ピンに回動自在に遊嵌され、前記内リンクプレートの間に配設されたローラが前記連結ピンの外周に回動自在に遊嵌され、前記外リンクプレートと内リンクプレートとが、同一形状に形成され、前記外リンクプレートにおける前記連結ピンを圧入する孔の大きさが、前記内リンクプレートにおける前記連結ピンを遊嵌する孔の大きさと同じであり、前記内リンクプレートの両側端部の形状が円弧状に形成され、該端部の前記連結ピンが挿通する孔の内径をＤとし、該端部の外周の半径と内周の半径との差をｈとし、一方の端部と他方の端部との間の両端を結ぶ方向に対する幅をＨとした場合、２ｈ≧Ｄ、および、２ｈ≧Ｈの関係が成立していることにより、前述した課題を解決したものである。
【００１４】
請求項２に係る発明の吊下げ用チェーンは、請求項１に記載の発明の構成に加えて、前記内リンクプレートの両側端部の形状が円弧状に形成され、一方の端部と他方の端部との間の形がくびれ形状を呈し、端部の外周の半径をｒとし、くびれ形状の弧の半径をＲとした場合、ｒ＝Ｒの関係が成立していることにより、前述した課題をさらに解決したものである。
【発明の効果】
【００１５】
請求項１に係る発明は、内リンクプレートと外リンクプレートとを連結ピンにより長手方向に交互に連結して上下方向へ移動可能な移動部材に動力を伝達する吊下げ用チェーンであって、内リンクプレートが連結ピンに回動自在に遊嵌され、内リンクプレートの間に配設されたローラが連結ピンの外周に回動自在に遊嵌され、外リンクプレートと内リンクプレートとが、同一形状に形成され、外リンクプレートにおける連結ピンを圧入する孔の大きさが、内リンクプレートにおける連結ピンを遊嵌する孔の大きさと同じであることにより、引張強度を向上するためにはとくに必要ではないブシュのような部材を設けずに吊下げ用チェーンを構成することができるため、部品点数を削減してチェーンの部品コストを低減させることができる。
【００１６】
また、例えば、一方の外リンクプレート、一方の内リンクプレート、ローラ、他方の内リンクプレート及び他方の外リンクプレートを一列に配置して一度に連結ピンを貫通して連結作業を１度で行なう、というように、ブシュ付きの内リンクを製作した上で連結ピン貫通させて外リンクを組付けてチェーンを製作するというように従前２段階で行なわれていたチェーン製作作業を１段階で実行するというように、チェーン製作工程を簡素化することができるとともに、このような内リンク製作時に生じていた、内リンクプレートの横曲がりというような組立歪みを解消して、全体としてチェーンの製作精度を向上することができる。
【００１７】
さらに、内リンクプレートにブシュを設けることがなくなり、内リンクプレートの連結ピン嵌合部周囲の面積を大きくしたため、内リンクプレートの引張強度が向上して、上下方向へ移動可能な移動部材の駆動に好適な、引張強度の高いチェーンとすることができる。
【００１８】
加えて、内リンクプレートが連結ピンに対して回動自在に遊嵌されていることにより、ブシュをなくしたにも係わらず連結ピンと内リンクプレートとが相互に回動自在であるため、吊下げ用チェーンをスプロケットに掛け回して回転させる場合にも内リンクプレートと連結ピン及び外リンクプレートとの相対回動が円滑に行なわれて吊下げ用チェーンを円滑に走行させることができる。
【００１９】
さらに、従前の汎用チェーンのように内リンクプレートと外リンクプレートとの寸法が異なることなく、内リンクプレートと外リンクプレートとを同じ寸法、大きさの部品で構成できるため、チェーンを製作するための部品種類が減少して、製作作業、製作コスト及び部品管理負担を低減させることができる。
【００２０】
加えて、内リンクプレートの両側端部の形状が円弧状に形成され、端部の連結ピンが挿通する孔の内径をＤとし、端部の外周の半径と内周の半径との差をｈとした場合、２ｈ≧Ｄの関係が成立していることにより、従来の２ｈ＜Ｄの関係が成立する構成と比較して、容易に内リンクプレートの端部の内外径差を大きくとることができて内リンクプレートの面積を広くすることができるため、内リンクプレートの引張強度を向上させることができる。
【００２１】
加えて、内リンクプレートの両側端部の形状が円弧状に形成され、端部の外周の半径と内周の半径との差をｈとし、一方の端部と他方の端部との間の両端を結ぶ方向に対する幅をＨとした場合、２ｈ≧Ｈの関係が成立していることにより、従来の２ｈ＜Ｈの関係が成立する構成と比較して、容易に内リンクプレートの端部の内外径差を大きくとることができて内リンクプレートの面積を広くすることができるため、内リンクプレートの引張強度を向上させることができる。
【００２２】
請求項２に係る発明の吊下げ用チェーンは、請求項１に記載の発明が奏する効果に加えて、内リンクプレートの両側端部の形状が円弧状に形成され、一方の端部と他方の端部との間の形がくびれ形状を呈し、端部の外周の半径をｒとし、くびれ形状の弧の半径をＲとした場合、ｒ＝Ｒの関係が成立していることにより、一枚の金属プレート等から複数の内リンクプレートを打ち抜く製造工程において一の内リンクプレートのくびれ形状の部分と他の内リンクプレートの端部とを隙間無く隣接させると同時に一の内リンクプレートの端部と他の内リンクプレートのくびれ形状の部分とを隙間無く隣接させて打ち抜くことができるため、歩留まり率を向上させることができる。
【図面の簡単な説明】
【００２３】
【図１】本発明の１実施例である吊下げ用チェーンの部分平面図。
【図２】図１に示す吊下げ用チェーンの部分側面図。
【図３】本発明の内リンクプレートおよび従来技術の内リンクプレートの平面図。
【図４】本発明の内リンクプレートを打ち抜く製造工程のレイアウト図。
【図５】図１に示す吊下げ用チェーンを適用した立体駐車場の概略側面図。
【図６】図５に示す立体駐車場の吊下げ用チェーンの引き回しを示す概略斜視図。
【図７】図１に示す吊下げ用チェーンを適用したフォークリフトの概略斜視図。
【図８】本発明の第２実施例である吊下げ用チェーンの部分平面図。
【図９】従来技術である吊下げ用チェーンの部分平面図
【図１０】従来技術である吊下げ用チェーンの部分側面図。
【発明を実施するための形態】
【００２４】
本発明は、内リンクプレートと外リンクプレートと前記内リンクプレートと外リンクプレートとを長手方向に交互に連結する連結ピンとで構成され、上下方向へ移動可能な移動部材に動力を伝達する吊下げ用チェーンであって、前記内リンクプレートが前記連結ピンに回動自在に遊嵌され、前記内リンクプレートの間に配設されたローラが前記連結ピンの外周に回動自在に遊嵌され、前記外リンクプレートと内リンクプレートとが、同一形状に形成され、前記外リンクプレートにおける前記連結ピンを圧入する孔の大きさが、前記内リンクプレートにおける前記連結ピンを遊嵌する孔の大きさと同じであり、前記内リンクプレートの両側端部の形状が円弧状に形成され、該端部の前記連結ピンが挿通する孔の内径をＤとし、該端部の外周の半径と内周の半径との差をｈとし、一方の端部と他方の端部との間の両端を結ぶ方向に対する幅をＨとした場合、２ｈ≧Ｄ、および、２ｈ≧Ｈの関係が成立していることにより、従来のブシュを備えた吊下げ用チェーンに比較してブシュを備えることなく内リンクプレートの面積を広くして内リンクプレートの引張強度を向上させた簡易な構造で低コストのものであれば、その具体的な態様は、いかなるものであっても何ら構わない。
【００２５】
すなわち、吊下げ用チェーンを構成するチェーン自体の素材は、通常温度で引張強度に優れたものであれば、鉄系あるいは被鉄系の金属材料などいかなる材料でも構わないが、相当の引張強度を要すること、内外リンクプレート、連結ピン及びローラなどの部品は、引張強度及び防蝕性などを考慮すると、鋼系の材料で形成することが望ましい。
【００２６】
吊下げ用チェーンとしては、ローラをも省略した内外リンクプレートと連結ピンとから構成されるような、最大限部品点数を減らしたものも考えられる。
ただし、大きな引張荷重の下で吊下げ用チェーンをスプロケットの係合歯に係合して駆動することを考慮すると、スプロケット係合歯と係合する箇所にはある程度の大きさ（径）が必要であること、及び、連結ピンを大径とすると連結ピンを挿通する内外リンクプレートの端部径なども大きくする必要があることなどを考慮すると、ローラを介してスプロケットと係合するようにすることが適切である。
【００２７】
また、本吊下げ用チェーンの長寿命化、メンテナンスフリー化を図って、ローラ内周面、及び／又はリンクプレートの摺動面に潤滑剤を保留するような無給油形のチェーンを採用して構成してもよい。
【００２８】
またさらに、本吊下げ用チェーンは、上下方向へ移動可能な移動部材に動力を伝達することができるように接続されていればよく、無端状でも有端状でもよい。
吊下げ用チェーンによって移動可能な移動部材を上下方向へ移動させる機構は、吊下げ用チェーンが引き回されている方向が上下方向のみではなく、上下方向に加えて横方向にも引き回されていてもよい。
言い換えると、上下方向へ移動可能な移動部材の自重が吊下げ用チェーンに作用する機構であればよい。
【実施例１】
【００２９】
以下、本発明の第１実施例である吊下げ用チェーン１００について図１乃至図７を参照して説明する。
図１は、本発明の第１実施例である吊下げ用チェーンの部分平面図であり、図２は、図１に示す吊下げ用チェーンの部分側面図であり、図３（Ａ）は、本発明の内リンクプレートの平面図であり、図３（Ｂ）は、従来技術の内リンクプレートの平面図であり、図４は、本発明の内リンクプレートを打ち抜く製造工程のレイアウト図であり、図５は、図１に示す吊下げ用チェーンを適用した立体駐車場の概略側面図であり、図６は、図５に示す立体駐車場の吊下げ用チェーンの引き回しを示す概略斜視図であり、図７は、図１に示す吊下げ用チェーンを適用したフォークリフトの概略斜視図である。
【００３０】
本実施例の吊下げ用チェーン１００は、図１に示すように、チェーンの長手方向とに亘って対峙して交互に配置された一対の内リンクプレート１２０及び外リンクプレート１１０とを、連結ピン１３０を貫通させて長手方向に交互に連結して、吊下げ用チェーン１００が形成される。
外リンクプレート１１０及び内リンクプレート１２０は、いずれも同形に形成されているので、部品の製作において、２種類の打抜型を用意する必要がなく、製作コストや部品保管コストを低減できるとともに、部品の誤組み付けの可能性が減少するので生産性を一層向上させることができる。
もちろん、汎用チェーンのように外リンクプレートを内リンクプレートより小さく構成しての車載ケージを駆動するという機能において何ら問題はない。
【００３１】
本第１実施例の吊下げ用チェーン１００ではブシュを省略しているので、図２において右端の内リンクプレート１２０に示されるように、円弧状に形成された内リンクプレート１２０端部の外周の半径と内周の半径との差ｈ、すなわち内リンクプレート１２０端部の面積を大きくできる。
より詳細に説明すると、従来の吊下げ用チェーン５００の場合には、図１０において右端の内リンクプレート５２０に示されるように、円弧状の内リンクプレート５２０端部にはブシュ５５０が圧入されるため、内リンクプレート５２０自体はその外周の半径と内周の半径との差ｈ’が、ブシュ５５０の厚みだけ小さくならざるを得ない。
これに対し、本実施例のようにブシュを省略すると、前述のとおり、内リンクプレート１２０端部の外周の半径と内周の半径との差ｈを大きくとることができるので、内リンクプレート１２０の面積が増大して内リンクプレート１２０の引張強度を向上させることができる。
【００３２】
したがって本第1実施例のようにブシュを無くしたことにより、吊下げ用チェーン１００の外径寸法は変わらなくても、その引張強度を向上して、吊下げの用途に適合した特性を備える吊下げ用チェーン１００を、低コストで製作することができる。
あるいは、内リンクプレート１２０を従来より小寸法として、同程度の引張強度を備える吊下げ用チェーンをより小寸法に構成するようにしてもよい。
【００３３】
また、連結ピン１３０は、外リンクプレート１１０に対して相互回動不能に装着して形態安定性を保つようにしているが、内リンクプレート１２０とは、わずかのクリアランスを設けて回動自在に遊嵌しているので、内リンクプレート１２０と外リンクプレート１１０とは相対回動が自在であり、チェーンとして必要な屈曲自在性が確保されている。
なお、本第１実施例では外リンクプレート１１０を、連結ピン１３０を圧入するなどの方法で連結ピン１３０に対し固定し、内リンクプレート１２０を連結ピン１３０に対し回動自在に遊嵌しているが、例えば、連結ピン１３０の両側、最外部止め輪若しくは止めピンを配置するなどして外リンクプレート１１０が脱落することがないように手当を講ずるのであれば、内リンクプレート１２０に連結ピン１３０を固定し、外プレート１１０と連結ピン１３０とを遊嵌するようにしてもよいし、内外両リンクプレート１１０、１２０ともに連結ピン１３０に対し回動自在に遊嵌することも可能である。
【００３４】
さらに、本第１実施例の吊下げ用チェーン１００では、連結ピン１３０の外側にローラ１４０を回動自在に外嵌しており、スプロケットとはローラ１４０を介して係合するので、小径の連結ピン１３０の表面の一部にスプロケットの係合歯から過大な牽引力が作用することはなく、ローラ１４０の外周面全体でスプロケットの駆動力を受けるようにしている。
これにより、吊下げ用チェーン１００の損傷する可能性を大きく減じて、長期に亘り円滑に稼働できるようにしている。
【００３５】
また、本第１実施例の吊下げ用チェーン１００では、図３（Ａ）に示されるように内リンクプレート１２０の端部における連結ピン１３０が挿通する孔の内径をＤとし、端部の外周の半径と内周の半径との差をｈとした場合、２ｈ≧Ｄの関係が成立するように内リンクプレート１２０が形成されている。
これに対して、従来の吊下げ用チェーン５００では、図３（Ｂ）に示されるように内リンクプレート５２０の端部における連結ピン１３０が挿通する孔の内径をＤ’とし、端部の外周の半径と内周の半径との差をｈ’とした場合、２ｈ’＜Ｄ’の関係が成立するように内リンクプレート５２０が形成されていた。
この違いにより、本第１実施例の吊下げ用チェーン１００では、従来の構成と比較して、容易に内リンクプレート１２０の端部の内外径差を大きくとることができて内リンクプレート１２０の面積を広くすることができるため、内リンクプレート１２０の引張強度を向上させることができる。
【００３６】
さらに、本第１実施例の吊下げ用チェーン１００では、図３（Ａ）に示されるように内リンクプレート１２０の一方の端部と他方の端部との間の両端を結ぶ方向に対する幅をＨとした場合、２ｈ≧Ｈの関係が成立するように内リンクプレート１２０が形成されている。
これに対して、従来の吊下げ用チェーン５００では、図３（Ｂ）に示されるように内リンクプレート５２０の一方の端部と他方の端部との間の両端を結ぶ方向に対する幅をＨ’とした場合、２ｈ’＜Ｈ’の関係が成立するように内リンクプレート５２０が形成されていた。
この違いにより、本第１実施例の吊下げ用チェーン１００では、従来の構成と比較して、容易に内リンクプレート１２０の端部の内外径差を大きくとることができて内リンクプレート１２０の面積を広くすることができるため、内リンクプレート１２０の引張強度を向上させることができる。
【００３７】
また、本第１実施例の吊下げ用チェーン１００では、図３（Ａ）に示されるように内リンクプレート１２０の一方の端部と他方の端部との間の形がくびれ形状を呈し、端部の外周の半径をｒとし、くびれ形状の弧の半径をＲとした場合、ｒ＝Ｒの関係が成立するように内リンクプレート１２０が形成されている。
これに対して、従来の吊下げ用チェーン５００では、図３（Ｂ）に示されるように内リンクプレート５２０の一方の端部と他方の端部との間の形がくびれ形状を呈していたが、端部の外周の半径をｒ’とし、くびれ形状の弧の半径をＲ’とした場合、ｒ’＜Ｒ’の関係が成立するように内リンクプレート５２０が形成されていた。
【００３８】
この違いにより、従来は、一枚の金属プレート等から複数の内リンクプレート５２０を打ち抜く製造工程において、一の内リンクプレート５２０と他の内リンクプレート５２０とを隣接させた場合であっても一の内リンクプレート５２０と他の内リンクプレート５２０との間に無駄な隙間が生じていたため、歩留まり率が低く十分ではなかった。
一方、本発明の内リンクプレート１２０の場合、図４に示されるように一枚の金属プレートＰＬ等から複数の内リンクプレート１２０を打ち抜く製造工程において、一の内リンクプレート１２０のくびれ形状の部分と他の内リンクプレート１２０の端部とを隙間無く隣接させると同時に一の内リンクプレート１２０の端部と他の内リンクプレート１２０のくびれ形状の部分とを隙間無く隣接させて打ち抜くことができるため、従来と比較して歩留まり率を向上させることができる。
【００３９】
吊下げ用チェーン１００自体は上述したように構成されていて、さらに、これに例えば図示しないアタッチメントを介して上下方向へ移動可能な移動部材が吊下げられている。
吊下げ用チェーン１００が、例えば図５および図６に示されるように立体駐車場３００に張設されている。
そして、柱３８０に沿って上下方向へ移動可能な移動部材の一例である昇降台３１０が吊下げ用チェーン１００の一部と接続されて吊下げ用チェーン１００に吊下げられ、昇降台３１０には車両が載置される。
【００４０】
より詳しく説明すると、立体駐車場３００は、モータ３２０と、ドライブチェーン３４０と、回転軸３３０と、一対の第１スプロケット３５０と、一対の第２スプロケット３６０と、一対の第３スプロケット３７０と、昇降台３１０と、４本の吊下げ用チェーン１００と、柱３８０とを備えている。
そして、操作ボタンによってモータ３２０が回転し、モータ３２０の動力がドライブチェーン３４０を介して回転軸３３０へ伝達され、回転軸３３０と一体回転するように設けられた一対の第１スプロケット３５０および一対の第３スプロケット３７０が回転する。
ここで、一対の第１スプロケット３５０および一対の第３スプロケット３７０には、４本の吊下げ用チェーン１００がそれぞれ掛け回されている。
【００４１】
このうち、一対の第１スプロケット３５０に掛け回されている２本の吊下げ用チェーン１００は、一対の第２スプロケット３６０にもそれぞれ掛け回され、一端が昇降台３１０における車両の入り口側である前側の左右とそれぞれ接続されている。
他端は、第１スプロケット３５０が昇降台３１０側の吊下げ用チェーン１００を巻き取った際に駆動の邪魔にならないように図示しない部材と接続されているものとする。
また、一対の第３スプロケット３７０に掛け回されている２本の吊下げ用チェーン１００の一端は、昇降台３１０における後側の左右とそれぞれ接続されている。
他端は、第２スプロケット３６０が昇降台３１０側の吊下げ用チェーン１００を巻き取った際に駆動の邪魔にならないように図示しない部材と接続されているものとする。
そして、モータ３２０が一の方向へ回転したとき、昇降台３１０が柱３８０に沿って上昇し、モータ３２０が逆方向へ回転したとき、昇降台３１０が柱３８０に沿って下降する。
なお、図５および図６は、立体駐車場３００の機構の大要を概略的に示すものであり、実際の配置としては、様々な形態が考えられる。
【００４２】
また、吊下げ用チェーン１００が、例えば図７に示されるようにフォークリフト４００に張設されている。
そして、マスト４３０に沿って上下方向へ移動可能な移動部材の一例であるフォーク形昇降部４１０が吊下げ用チェーン１００の一部と接続されて吊下げ用チェーン１００に吊下げられ、フォーク形昇降部４１０にはコンテナ等の荷物が載置される。
より詳しく説明すると、フォークリフト４００は、図示しないスプロケット付モータと、スプロケット４２０と、フォーク形昇降部４１０と、吊下げ用チェーン１００と、マスト４３０とを備えている。
【００４３】
そして、操縦者の操作によってスプロケット付モータが回転し、スプロケット４２０に掛け回された吊下げ用チェーン１００に動力が伝達される。
ここで、吊下げ用チェーン１００の一部がフォーク形昇降部４１０と接続されている。
なお、吊下げ用チェーン１００が有端状である場合は一端がフォーク形昇降部４１０と接続され、吊下げ用チェーン１００が無端状である場合は一部がフォーク形昇降部４１０と接続されていればよい。
そして、スプロケット付モータが一の方向へ回転したとき、フォーク形昇降部４１０がマスト４３０に沿って上昇し、スプロケット付モータが逆方向へ回転したとき、フォーク形昇降部４１０がマスト４３０に沿って下降する。
【実施例２】
【００４４】
次に、本発明の第２実施例である吊下げ用チェーン２００について、図８を参照して以下に説明する。
図８は、本発明の第２実施例である吊下げ用チェーン２００の部分平面図である。
第２実施例の吊下げ用チェーン２００は、第１実施例の吊下げ用チェーン１００を複列としたものであり、多くの要素について第１実施例の吊下げ用チェーン１００と共通するので、共通する事項については詳しい説明を省略し、下２桁を共通する２００番代の符号を付すのみとする。
【００４５】
本第２実施例の吊下げ用チェーン２００は、より引張強度を向上するように２列としたものであり、両側に外リンクプレート２１０及び内リンクプレート２２０を交互に配置し、中央部に中間外リンクプレート２８１及び中間内リンクプレート２８２を配置し、これらの内外リンクプレート２１０、２２０を、連結ピン２３０を貫通させて長手方向に交互に連結して、無端状の吊下げ用チェーン２００としている。
また、内リンクプレート２２０と中間内リンクプレート２８２との間にそれぞれローラ２４０が回動自在に遊嵌されていて、ブシュが省略されていることも第１実施例の吊下げ用チェーン１００の場合と同様である。
【００４６】
本第２実施例の吊下げ用チェーン２００の場合、両側と中央部に４枚のプレートが配置されているため、両側に２枚のプレートが配置されている第１実施例の吊下げ用チェーン１００に比べて、略２倍の引張強度を実現することができる。
また、中間外リンクプレート２８１及び中間内リンクプレート２８２についても、外リンクプレート２１０及び内リンクプレート２２０と同一形状のものを使用すると、部品製作や保管コストを低減することができる。
【００４７】
以上のようにして得られた本発明の実施例である吊下げ用チェーン１００、２００は、内リンクプレート１２０、２２０が連結ピン１３０、２３０に回動自在に遊嵌され、内リンクプレート１２０、２２０の間に配設されたローラ１４０、２４０が前記連結ピン１３０、２３０の外周に回動自在に遊嵌されていることにより、不要な部品を減殺しながらも、引張強度を向上させつつ製作コストを低減させることができる。
【００４８】
また、部品点数が減少したことで、チェーンの製作工程を簡素化して生産性を向上することができるとともに、省略された組立工程において生じていた組立誤差を解消して吊下げ用チェーン１００、２００全体の組立精度を向上させることができる。
さらに、外リンクプレート１１０、２１０と内リンクプレート１２０、２２０とが同一形状に形成されていることにより、部品製作コスト及び部品管理コストを低減することができるなど、その効果は甚大である。
【００４９】
また、内リンクプレート１２０において、前述した２ｈ≧Ｄの関係、および２ｈ≧Ｈの関係の少なくとも一方が成立していることにより、成立していない場合と比較して、内リンクプレート１２０の引張強度を向上させることができる。
さらに、内リンクプレート１２０において、前述したｒ＝Ｒの関係が成立していることにより、成立していない場合と比較して、歩留まり率を向上させることができる。
【符号の説明】
【００５０】
１００、２００、５００        ・・・  吊下げ用チェーン
１１０、２１０、５１０        ・・・  外リンクプレート
１２０、２２０、５２０        ・・・  内リンクプレート
１３０、２３０、５３０        ・・・  連結ピン
１４０、２４０、５４０        ・・・  ローラ
２８１                        ・・・  中間外リンクプレート
２８２                        ・・・  中間内リンクプレート
３００                        ・・・  立体駐車場
３１０                        ・・・  昇降台
３２０                        ・・・  モータ
３３０                        ・・・  回転軸
３４０                        ・・・  ドライブチェーン
３５０                        ・・・  第１スプロケット
３６０                        ・・・  第２スプロケット
３７０                        ・・・  第３スプロケット
３８０                        ・・・  柱
４００                        ・・・  フォークリフト
４１０                        ・・・  フォーク形昇降部
４２０                        ・・・  スプロケット
４３０                        ・・・  マスト
５５０                        ・・・  ブシュ
ＰＬ                          ・・・  金属プレート
【図１】
0005709714.tif 000002
【図２】
0005709714.tif 000003
【図３】
0005709714.tif 000004
【図４】
0005709714.tif 000005
【図５】
0005709714.tif 000006
【図６】
0005709714.tif 000007
【図７】
0005709714.tif 000008
【図８】
0005709714.tif 000009
【図９】
0005709714.tif 000010
【図１０】
0005709714.tif 000011